(57)【要約】【課題】  ベタ基礎の構築において、一度のコンクリート打設により基礎底盤及び基礎立上を構築でき、かつ、軽作業であり、省部材及び省工程で構築可能な型枠支持材、型枠保持具及び型枠ユニット並びに該型枠ユニットの構築方法を提供する。【解決手段】  捨てコンＸ上に固定する長板状で、該長板状の一端側に型枠支持部２及び支柱固定部３を設け、該他端側に支柱固定部３を設けた型枠支持材１を、該型枠支持材１の一端側の型枠支持部２に型枠Ａか支柱４を選択して取付けることにより外側型枠ユニット１００及び内側型枠ユニット２００で兼用可能として省部材化でき、該型枠支持材１に支柱４及び該支柱４の上端に断面視略コ字型の型枠支持部２を取付けることにより、容易に軽作業で構築可能とした。【選択図】図４
2017066804.tif 000002
【特許請求の範囲】
【請求項１】
建築物の基礎構築において、捨てコンクリートに接面して型枠保持具を支持する長板状の型枠支持材であって、
該長板状の一端側には、型枠パネルの下端を支持する型枠支持部及び支柱を該長板状に対して略鉛直方向に取付けるための支柱固定部を形成し、
前記長板状の他端側には、支柱を該長板状に対して略鉛直方向に取付けるための支柱固定部を形成してなることを特徴とする型枠支持材。
【請求項２】
建築物の基礎構築において型枠を保持する型枠保持具であって、
長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した型枠支持材と、
前記長板状の他端側に形成した支柱固定部に前記長板状に対して略鉛直方向に取付けた支柱と、
該支柱の上端に前記型枠パネルの下端を支持する型枠支持部を設けたことを特徴とする型枠保持具。
【請求項３】
建築物の基礎構築において型枠を保持する型枠保持具であって、
長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した型枠支持材と、
前記長板状の一端側及び他端側の夫々の支柱固定部に、前記長板状に対して略鉛直方向に取付けた支柱と、
該各支柱の上端に前記型枠パネルの下端を固定する型枠支持部を設けたことを特徴とする型枠保持具。
【請求項４】
建築物の基礎構築に用いる型枠ユニットであって、
長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した型枠支持材と、
前記長板状の他端側に形成した支柱固定部に前記長板状に対して略鉛直方向に取付けた支柱と、
該支柱の上端に前記型枠パネルの下端を支持する型枠支持部と、
前記型枠支持材の一端側に設けた型枠支持部及び前記支柱の上端に設けた型枠支持部に夫々下端側を固定された型枠パネルと、
前記型枠支持材に固定した型枠パネルの内側面に水平方向に延設される係止部材を前記支柱側に固定された型枠パネルの下端の高さに設け、該係止部材及び前記支柱側の型枠支持部間に橋架される中央近傍に孔が形成された幅止め金具とからなることを特徴とする型枠ユニット。
【請求項５】
建築物の基礎構築に用いる型枠ユニットの構築方法であって、
捨てコンクリート上に、長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した複数の型枠支持材を固定する第一工程と、
前記長板状の一端側の型枠支持部に型枠パネルの下端を固定する第二工程と、
前記型枠支持材の支柱固定部に支柱を前記長板状に対して略鉛直方向に取付ける第三工程と、
該支柱の上端に型枠支持部を取付ける第四工程と、
前記支柱上端側の型枠支持部に型枠パネルの下端を固定する第五工程とを含むことを特徴とする型枠ユニットの構築方法。
【請求項６】
前記第二工程と第三工程との間に、前記型枠支持部に固定した型枠パネルの内側面に幅止め金具の係止部材を取付けるための複数の係止部材受け部を水平方向に並列に取付ける工程を含み、
前記第五工程の後に、前記複数の係止部材受け部に係止部材を水平方向に延設する工程と、
前記支柱上端側の型枠支持部に固定した型枠パネルの下端側と該係止部材間に、中央近傍に孔が形成された幅止め金具を橋架する工程と、
前記幅止め金具の中央近傍に形成した孔にアンカーボルトを挿通して固定する工程とを含むことを特徴とする請求項５に記載の型枠ユニットの構築方法。
【請求項７】
建築物の基礎構築に用いる型枠ユニットの構築方法であって、
捨てコンクリート上に、長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した複数の型枠支持材を固定する第一工程と、
前記長板状の一端側及び他端側の夫々の支柱固定部に該長板状に対して略鉛直方向に支柱を取付ける第二工程と、
該各支柱の上端に型枠支持部を取付ける第三工程と、
該各型枠支持部に型枠パネルの下端を固定する第四工程とを含むことを特徴とする型枠ユニットの構築方法。
【発明の詳細な説明】
【技術分野】
【０００１】
本発明は、ベタ基礎の構築において、一度のコンクリート打設により基礎底盤及び基礎立上を構築でき、かつ、軽作業であり、省部材及び省工程で構築可能な型枠支持材及び該型枠支持材を備えた型枠ユニットに関する。
【背景技術】
【０００２】
従来、建築物のベタ基礎を構築するに際しては、捨てコンクリート（以下、捨てコンという。）上に基礎底盤の型枠を設置してコンクリートを打設し、該基礎底盤を構築した後に、該基礎底盤の硬化を待ってから該基礎底盤の上面に基礎立上用の型枠を設置してコンクリートを打設し、該基礎立上を構築するというように二度のコンクリート打設を経て構築されていた。このように手間と時間の掛かるベタ基礎の構築に対し、以下の従来技術が提供されている。
【０００３】
例えば、ベタ基礎の外側の基礎立上を構築する際に用いる、長板状の接地材の一端に挟持片で挟まれた堰板支持部及び他端に鉛直方向に延設された脚部材を備えた外側用の型枠固定具と、ベタ基礎の内側の基礎立上を構築する際に用いる、長板状の設置材の両端に鉛直方向に延設された脚部材を備えた内側用の型枠固定具とを有し、該夫々の型枠固定具に堰板を立設することにより、底盤部と立上り部のコンクリートを同時に打設することを可能とする型枠が提供されている（特許文献１）。
【０００４】
また、ベース部と立上部とからなる鉄筋コンクリート造の基礎を一体に構築するための型枠を保持する型枠保持具であって、基礎の外側を構築する際に用いる、鉄筋固定部及び高さ調節機構を備えた外側用の型枠保持具と、基礎の内側を構築する際に用いる、一対の鉄筋固定部を備えた内側用の型枠保持具が提供されている（特許文献２）。
【先行技術文献】
【特許文献】
【０００５】
【特許文献１】特開２００２３０９７７４号公報
【特許文献２】特開２００３−８２８５２号公報
【発明の概要】
【発明が解決しようとする課題】
【０００６】
しかしながら、特許文献１に記載の技術では、前記外側用及び内側用型枠固定具に夫々堰板を立設し、底盤部と立上り部のコンクリートを同時に打設することにより、ベタ基礎を構築する工程を削減できるが、該型枠固定具を構築するに際しては、外側用と内側用の夫々一体化された別部材を用いる必要があり、その運搬や保管にコストが掛かるという問題があった。また、各型枠固定具が一体化されて比較的大きいため、高齢者や女性等では取り扱いが困難であるという問題もあった。さらに、該各一体化された型枠固定具を成形するには、型枠構築する以前に予めコストが掛かるため経済性はなく、商業化が困難であるという問題もあった。
【０００７】
一方、特許文献２に記載の技術では、前記特許文献１に記載の技術と同様に一度のコンクリートの打設で基礎のベース部及び立上部を構築できるものの、外側と内側で異なる部材を使用するため、型枠保持具の構築に必要な部材点数が増大して運搬や保管にコストが掛かるという問題があった。
【０００８】
そこで、本発明は、ベタ基礎の構築において、一度のコンクリート打設により基礎底盤及び基礎立上を構築でき、かつ、軽作業であり、省部材及び省工程で構築可能な型枠支持材、型枠保持具及び型枠ユニット並びに該型枠ユニットの構築方法を提供することを課題とした。
【課題を解決するための手段】
【０００９】
上記課題を解決するために、本発明は次のように構成した。すなわち、本発明に係る請求項１に記載の型枠支持材は、建築物の基礎構築において、捨てコンに接面して型枠保持具を支持する長板状の型枠支持材であって、該長板状の一端側には、型枠パネルの下端を支持する型枠支持部及び支柱を該長板状に対して略鉛直方向に取付けるための支柱固定部を形成し、前記長板状の他端側には、支柱を該長板状に対して略鉛直方向に取付けるための支柱固定部を形成してなることを特徴としている。
【００１０】
また、請求項２に記載の型枠保持具は、建築物の基礎構築において型枠を保持する型枠保持具であって、長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した型枠支持材と、前記長板状の他端側に形成した支柱固定部に前記長板状に対して略鉛直方向に取付けた支柱と、該支柱の上端に前記型枠パネルの下端を支持する型枠支持部を設けたことを特徴としている。
【００１１】
また、請求項３に記載の型枠保持具は、建築物の基礎構築において型枠を保持する型枠保持具であって、長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した型枠支持材と、前記長板状の一端側及び他端側の夫々の支柱固定部に、前記長板状に対して略鉛直方向に取付けた支柱と、該各支柱の上端に前記型枠パネルの下端を固定する型枠支持部を設けたことを特徴としている。
【００１２】
また、請求項４に記載の型枠ユニットは、建築物の基礎構築に用いる型枠ユニットであって、長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した型枠支持材と、前記長板状の他端側に形成した支柱固定部に前記長板状に対して略鉛直方向に取付けた支柱と、該支柱の上端に前記型枠パネルの下端を支持する型枠支持部と、前記型枠支持材の一端側に設けた型枠支持部及び前記支柱の上端に設けた型枠支持部に夫々下端側を固定された型枠パネルと、前記型枠支持材に固定した型枠パネルの内側面に水平方向に延設される係止部材を前記支柱側に固定された型枠パネルの下端の高さに設け、該係止部材及び前記支柱側の型枠支持部間に橋架される中央近傍に孔が形成された幅止め金具とからなることを特徴としている。
【００１３】
また、請求項５に記載の型枠ユニットの構築方法は、建築物の基礎構築に用いる型枠ユニットの構築方法であって、捨てコン上に、長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した複数の型枠支持材を固定する第一工程と、前記長板状の一端側の型枠支持部に型枠パネルの下端を固定する第二工程と、前記型枠支持材の支柱固定部に支柱を前記長板状に対して略鉛直方向に取付ける第三工程と、該支柱の上端に型枠支持部を取付ける第四工程と、前記支柱上端側の型枠支持部に型枠パネルの下端を固定する第五工程とを含むことを特徴としている。
【００１４】
また、請求項６に記載の型枠ユニットの構築方法は、前記請求項５に記載の第二工程と第三工程との間に、前記型枠支持部に固定した型枠パネルの内側面に幅止め金具の係止部材を取付けるための複数の係止部材受け部を水平方向に並列に取付ける工程を含み、前記第五工程の後に、前記複数の係止部材受け部に係止部材を水平方向に延設する工程と、前記支柱上端側の型枠支持部に固定した型枠パネルの下端側と該係止部材間に、中央近傍に孔が形成された幅止め金具を橋架する工程と、前記幅止め金具の中央近傍に形成した孔にアンカーボルトを挿通して固定する工程とを含むことを特徴としている。
【００１５】
さらに、請求項７に記載の型枠ユニットの構築方法は、建築物の基礎構築に用いる型枠ユニットの構築方法であって、捨てコン上に、長板状の一端側に型枠パネルの下端を支持する型枠支持部及び支柱を該長板状に対して略鉛直方向に取付けるための支柱固定部を形成し、前記長板状の他端側に支柱を該長板状に対して略鉛直方向に取付けるための支柱固定部を形成した複数の型枠支持材を固定する第一工程と、前記長板状の一端側及び他端側の夫々の支柱固定部に該長板状に対して略鉛直方向に支柱を取付ける第二工程と、該各支柱の上端に型枠支持部を取付ける第三工程と、該各型枠支持部に型枠パネルの下端を固定する第四工程とを含むことを特徴としている。
【発明の効果】
【００１６】
本発明に係る請求項１に記載の型枠支持材によれば、前記長板状の一端側に型枠支持部及び支柱固定部の両方を設けたことにより、該一端側に型枠パネルか支柱のどちらかを選択して取付けることができるため、ベタ基礎構築において、該型枠支持材をベタ基礎の外側の基礎立上に用いる型枠ユニットにも内側の基礎立上に用いる型枠ユニットにも兼用することができる。これにより、ベタ基礎の構築における型枠支持の部材点数を削減することができ、該型枠支持材の製造、運搬又は保管等に掛かるコストも削減することができる。
【００１７】
また、請求項２及び３に記載の型枠保持具によれば、前記型枠支持材を活用することによる効果とともに、該型枠支持材、支柱及び型枠支持部を夫々別部材とし、基礎構築の現場で組み立て可能としたことにより、各部材の運搬又は保管が容易になり、かつ、各部材１つ１つを取り扱うことによって軽作業化できるため、高齢者や女性でも容易に型枠構築の作業を行うことができ、昨今の型枠業者の高齢化等による人手不足の解消に効果を奏することができる。また、前記引用文献１に記載の型枠固定具のように、予め折り曲げや溶接等により一体化した型枠保持具を形成する必要がないため、経済性にも優れ商業ベースに乗せやすいという効果も得ることができる。
【００１８】
また、請求項４に記載の型枠ユニットによれば、一度のコンクリートの打設でベタ基礎の基礎底盤及び基礎立上を構築できるのはもとより、前記型枠支持材及び型枠保持具を活用することによる効果とともに、前記係止部材及び幅止め金具を設けたことにより、前記型枠パネルの内側面に延設された係止部材の範囲であればどの位置にも幅止め金具を取付けることができ、また、該幅止め金具により型枠ユニットの強度が増すため、支保工が不要となり、コスト及び施工工程を削減することができる。また、前記各幅止め金具の中央近傍に設けた孔にアンカーボルトを挿通することにより、該アンカーボルトの取付け位置が一定となり、該アンカーボルトを正確に取付けることができる。
【００１９】
また、請求項５に記載の型枠ユニットの構築方法によれば、捨てコン上に、内側か外側のどちらの基礎立上の型枠ユニットに用いる型枠支持材かを施工者が意識することなく型枠支持材を取付けることができる。そして、該型枠支持材を取付けた後、該型枠支持材に支柱と該支柱の上端に型枠支持部を取付け、該両型枠支持部に型枠パネルを取付ければ、各部材を組み立てるのみで高齢者や女性等であっても容易に型枠ユニットを構築できる。また、前記型枠支持材の一端に設けた型枠支持部に先に型枠パネルを取付けることにより、型枠ユニットの内側からのビス止め等の作業が容易になるため、狭い敷地での隣地側根切りに余堀りが不要となり土留め等の必要性がなくなる等、安全性においても有効で作業効率を向上させることができる。
【００２０】
また、請求項６に記載の型枠ユニットの構築方法によれば、前記型枠ユニットの構築方法が奏する効果とともに、まず、型枠パネルの内側面に係止部材受け部を取付けておくことにより、前記第三工程から第五工程後に係止部材を取付け容易になる。また、該係止部材を水平方向に延設することにより、該係止部材に対してどの位置でも前記幅止め金具を取付けることができ、さらに、前記幅止め金具の中央近傍にアンカーボルト挿通孔を開口させたことにより、該アンカーボルトの取付け位置が一定となり、該アンカーボルトを正確に取付けることができる。
【００２１】
さらに、請求項７に記載の型枠ユニットの構築方法によれば、捨てコン上に、内側か外側のどちらの基礎立上の型枠ユニットに用いる型枠支持材かを施工者が意識することなく型枠支持材を取付けることができる。また、該型枠支持材１を取付けた後、該型枠支持材に支柱と該各支柱の上端に断面視略コ字型の型枠支持部を取付け、該両型枠支持部に型枠パネルを取付ければ、各部材を組み立てて型枠パネルを固定するだけで高齢者や女性等であっても容易に該型枠ユニットを構築することができる。
【図面の簡単な説明】
【００２２】
【図１】本発明に係る型枠支持材を示す斜視図である。
【図２】本発明に係る外側の型枠保持具を示す斜視図である。
【図３】該型枠保持具の支柱上端を示す拡大斜視図である。
【図４】本発明に係る型枠ユニットを示す断面図である。
【図５】該型枠ユニットの幅止め金具を示す斜視図である。
【図６】本発明に係る外側型枠ユニットの構築方法を示すフローチャート図である。
【図７】本発明に係る内側型枠ユニットの構築方法を示すフローチャート図である。
【発明を実施するための形態】
【００２３】
以下、図面に基づいて本発明を具体的に説明する。図１は、本発明に係る型枠支持材１の構造を示す図であって、図１（ａ）は、該型枠支持材１を示す斜視図であり、図１（ｂ）は、該型枠支持材１を示す断面図である。
【００２４】
該型枠支持材１は、捨てコンＸ上に接地して取付けられる長板状の一端に対向する一対の挟持片２ａによって形成された型枠支持部２及び支柱固定部３と、該長板状の他端に支柱固定部３が形成されている。該型枠支持部２の一対の挟持片２ａのうち、内側の挟持片２ａは、長板状に形成された略コ字型のスリットに囲まれた面を上面方向に折り曲げて起立させることで形成される。したがって、該型枠支持材１の運搬又は保管中、或いは、該型枠支持部２を使用しない場合は、該内側の挟持片２ａを起立させずに構築作業を行うことも可能である。なお、該長板状には、捨てコンＸにビス止めするためのビス孔αが形成されているが、捨てコンＸへの取付方法は、これに限らず、その他接着剤等を用いてもよい。以下に、該型枠支持材１を用いた型枠保持具とともに前記支柱固定部３についても説明する。
【００２５】
図２は、前記型枠支持材１を用いた型枠保持具を示す斜視図であって、図２（ａ）は、該型枠保持具のうち外側型枠保持具１０を示す斜視図であり、図２（ｂ）は、該型枠保持具のうち内側型枠保持具２０を示す斜視図である。前記外側型枠保持具１０は、ベタ基礎において外側の基礎立上を構築する際の型枠保持具（外側型枠保持具１０）であり、一方、前記内側型枠保持具２０は、内側の基礎立上を構築する際の型枠保持具（内側型枠保持具２０）である。
【００２６】
図２（ａ）に示すように、前記外側型枠保持具１０は、前記長板状の一端に型枠支持部２及び支柱固定部３と他端に支柱固定部３とを設けた型枠支持材１と、該型枠支持材１の他端に設けた支柱固定部３から前記長板状に対して略鉛直方向に取付けた支柱４と、該支柱４の上端側に取付けた断面視略コ字型の型枠支持部２とから構成されている。
【００２７】
前記支柱４は、全ネジのボルトにより形成されている。該支柱４は、一般的な型枠構築に用いられるセパレータと同径の直径８ｍｍのボルトを用いるのがよく、これにより、該型枠構築において該支柱４とセパレータとを兼用することができるため、運搬又は保管コストの削減等、経済性にも優れる。
【００２８】
前記支柱固定部３は、前記型枠支持材１の一端側及び他端側に前記支柱４の下端を固定できるように形成されている。したがって、前記支柱４が全ネジのボルトで形成されていることから、該支柱固定部３にはネジ切りが形成されており、前記支柱４の下端を固定することができる。また、該支柱固定部３は、型枠支持材１の一端側及び他端側の両側に形成されているため、その一方に支柱４を固定するか両方に固定するかを構築する型枠ユニットによって選択することができる。
【００２９】
また、図２（ｂ）に示すように、前記内側型枠保持具２０は、前記型枠支持材１の両端に設けた支柱固定部３に夫々支柱４を取付け、該支柱４の上端側に夫々型枠支持部２を取付けられている。なお、図示では、前記型枠支持材１の一端側に設けた挟持片２ａのうち、内側の挟持片２ａを起立させずに表示しているが、該内側の挟持片２ａを起立させても該内側型枠保持具２０の構築には別段差支えない。
【００３０】
該各支柱４の上端側に取付けられる型枠支持部２は、断面視略コ字型に形成されており、該略コ字型の開口側を上向させ型枠パネルＡの下端を嵌め込むことによって支持する。また、該型枠支持部２は、該略コ字型一端の支柱４側から鉛直方向に延設された板状の支柱係留部２ｂを備え、該支柱係留部２ｂの表面には前記支柱４を挿通して固定するための支柱挿通孔２ｃが開口して形成されている。
【００３１】
図３は、該支柱４の上端及び該上端に取付ける型枠支持部２を示す拡大斜視図である。前記型枠支持部２の支柱挿通孔２ｃは、該孔の内周面にネジ切りが施されており、前記ボルトからなる支柱４を所定の高さに調整して固定できるように構成されている。すなわち、前記支柱４の上端から型枠支持部２の支柱挿通孔２ｃを挿通し、該型枠支持部２を支柱４を軸に回転させることにより下方又は上方へと移動させることができ、該型枠支持部２の高さを調整することができる。したがって、該支柱４を全ネジの汎用性のボルトとすることにより、現場にて異なる高さに自由に対応できる。
【００３２】
このように、前記型枠支持材１は、内側型枠保持部１０又は外側型枠保持具２０のどちらの型枠支持材１としても兼用できるため、型枠支持材１の区別に注意することなく型枠支持材１を捨てコンＸ上に設置することができ、これにより、型枠保持具の構築において施工初心者でも作業が容易になり、また、既存の施工者においても作業効率が向上する。さらに、ベタ基礎の構築における型枠支持のための部材点数を削減することができ、該支柱４を後施工できることにより鉄筋組立施工が容易になり施工工程を簡略化及び合理化でき、該型枠支持材の製造、運搬又は保管等に掛かるコストも削減することができる。
【００３３】
また、前記外側型枠保持具１０及び内側型枠保持具２０は、これらを構成する各部材が軽量かつ重複するため、運搬又は保管が容易でコスト削減でき、かつ、各部材１つ１つを取り扱うことで軽作業化できるため、高齢者や女性でも容易に型枠構築の作業を行うことができ、昨今の型枠職人の高齢化等による人手不足の解消に効果を奏することができる。また、各部材をベタ基礎構築の現場で組み立て可能としたことにより、予め折り曲げや溶接等により一体化した型枠保持具を形成する必要がないため、経済性にも優れ商業ベースに乗せやすいという効果も得ることができる。
【００３４】
次に、本発明に係る型枠ユニットについて説明する。図４は、本発明に係る外側型枠ユニット１００及び内側型枠ユニット２００を示す断面図である。該外側型枠ユニット１００は、ベタ基礎において外側の基礎立上を構築する際の型枠ユニット（外側型枠ユニット１００）であり、一方、前記内側型枠ユニット２００は、内側の基礎立上を構築する際の型枠ユニット（内側型枠ユニット２００）である。
【００３５】
まず、前記外側型枠ユニット１００は、ベタ基礎の外側で捨てコンＸの上面に、前記図２に示す外側型枠保持具１０を設置し、該外側型枠保持具１０の各型枠支持部２に型枠パネルＡを取付けて構築する。なお、特に図示しないが、型枠支持部２にランナー部材を嵌め込んで型枠パネルＡを取付け、型枠パネルＡ上端には、キャップ部材を取付けてもよい。また、外側型枠ユニット１００のうち外側の型枠パネルＡの内側面には、内側の型枠パネルＡの下端側でコンクリート打設時のブレを防止する幅止め金具５を取付けるための係止部材６及び該係止部材６を受ける係止部材受け部７が取付けられている。該係止部材受け部７は、基準ＧＬより低い位置で仕上げ後にビス孔を外側から視認できない高さに取り付けることにより、内側からの施工性も良く、また、仕上げ後はビス孔が外部から遮蔽されるため美観性にも優れる。なお、本実施例では、該係止部材受け部７を基準ＧＬより５０ｍｍ低い位置に取り付けている。
【００３６】
図５は、外側型枠ユニット１００に係る前記幅止め金具５の取付け状態を示す斜視図である。まず、図中の外側の型枠パネルＡの内側に、板状で上端側が内側方向に湾曲した係止部材受け部７が複数並列に取付けられる。なお、内側の型枠パネルＡ並びに幅止め金具５、係止部材６及び係止部材受け部７以外の部材は、該幅止め金具５の説明便宜上省略する。次に、該係止部材受け部７の上端部側に係止部材６が取付けられる。該係止部材６は、複数の係止部材受け部７を橋架するように前記型枠パネルＡに沿って延設され、かつ、前記係止部材受け部７の上端側湾曲により前記型枠パネルＡの内側面との間に間隙を設けて取付けられる。前記幅止め金具５は、断面視略コ字型に形成されており、その一端を該間隙に係合させ、また、その他端側を、前記支柱４の上端側に取付けた型枠支持部２の側面又は該型枠支持部２に嵌合して橋架するように取付けられたランナー部材（図示せず。）の側面に係止して取付けられる。そして、該外側型枠ユニット１００において、該幅止め金具５は、前記延設された係止部材６のどこにも取付け可能であり、並列して複数取付けられる。
【００３７】
また、図示のように、前記幅止め金具５は、中央近傍にアンカーボルト挿通孔５ａが形成されている。そのため、該アンカーボルト挿通孔５ａにアンカーボルトを挿通することにより、該アンカーボルトの取付け位置が一定となり、該アンカーボルトを正確に取付けることができる。なお、該幅止め金具５は、内側の型枠パネルＡの下端の高さだけでなく、各型枠パネルＡの上端に架けて取付けてもよい。なお、該型枠パネルＡの上端にキャップ部材を取付けた場合は、該各キャップ部材の上端に架けて幅止め金具５を取付けてもよく、該キャップ部材側の幅止め金具５に形成されたアンカーボルト挿通孔５ａも含めてアンカーボルトを挿通してもよい。
【００３８】
次に、図４に示す前記内側型枠ユニット２００は、ベタ基礎の内側で捨てコンＸの上面に、前記図２（ｂ）に示す内側型枠保持具２０を設置し、該外側型枠保持具２０の支柱４の上端側に取付けた各型枠支持部２に型枠パネルＡを嵌め込んで構築する。また、特に図示しないが、該型枠支持部２にランナー部材を嵌め込んで型枠パネルＡを取付け、型枠パネルＡ上端には、キャップ部材を取付けてもよく、該支柱４上端側のランナー部材は、断面視略コ字型の型枠支持部２に取り付けられて高さ調整が容易であり、レベル調整しビス止めすることで基礎工事に重要な高さ調整を容易且つ正確に行うことができる。また、該各型枠パネルＡの下端の高さは、前記支柱４の上端側の型枠支持部２に取付けた型枠パネルＡの下端の高さと同程度に設定される。さらに、該各型枠パネルＡの下端及び上端で前記ランナー部材又はキャップ部材に係止して前記幅止め金具５を架けて取付けてもよい。
【００３９】
このように構築した外側型枠ユニット１００及び内側型枠ユニット２００からなる型枠ユニットに対してコンクリートＹを打設すると、ベタ基礎の基礎底盤と基礎立上とを同時に一度のコンクリート打設で構築することができる。
【００４０】
また、該型枠ユニットは、前記型枠保持具１０及び型枠保持具２０を利用し、各部材を組み立てて軽作業で容易に構築することができるため、女性や高齢者又は施工初心者であっても構築作業を行うことができ、昨今の基礎構築における人手不足という問題解決に貢献することができる。
【００４１】
さらに、該幅止め金具５により型枠ユニットの強度が増すため、支保工が不要となり、コスト及び施工工程を削減することができる。また、前記各幅止め金具５の中央近傍に設けたアンカーボルト挿通孔５ａにアンカーボルトを挿通することにより、該アンカーボルトの取付け位置が一定となり、該アンカーボルトを正確に取付けることができる。
【００４２】
ここで、前記外側型枠保持具１０及び内側型枠保持具２０に取付けられる型枠パネルＡは、具体的には図示しないが、金属製薄板を屈曲させて断面略コ字型のリブ部を複数並列に形成した薄鋼板型枠パネルで構成される。該薄鋼板型枠パネルは、軽量且つ折り曲げ又は切断が容易で、また埋め戻し可能で施工性に優れるため、高齢者や女性、型枠施工初心者であっても容易に取り扱うことができる。したがって、該薄鋼板型枠パネルは、該外側型枠保持具１０及び内側型枠保持具２０に取付けられる型枠パネルＡとして、本発明が奏する効果の観点からも適する。なお、該型枠パネルＡは、前記薄鋼板板型枠パネルに限られるものではなく、その他金属製又は木製等のいずれの型枠パネルＡであってもよい。
【００４３】
また、該型枠パネルＡを前記薄鋼板型枠パネルとした場合、該薄鋼板型枠パネルの内側面に前記係止部材６を前記係止部材受け部７を介さず直接取り付けることにより、前記薄鋼板型枠パネルのリブ部と該係止部材６との間隙に前記幅止め金具５の一端を嵌め込んで係止することができる。そのため、この場合、係止部材受け部７を用いず部材点数をさらに削減することができ、製造、運搬又は保管等のコストをさらに削減することができる。
【００４４】
次に、本発明の型枠ユニットの構築方法について前記各図を踏まえて説明する。図６は、該型枠ユニットのうち外側型枠ユニット１００の構築方法を示すフローチャート図である。
【００４５】
まず、捨てコンＸ上に、複数の前記型枠支持材１を固定する。該型枠支持材１には長板状にビス孔αが形成されており、該ビス孔αにビスを打ち込むことにより、複数の型枠支持材１を型枠パネルＡの取付け方向に沿って捨てコンＸの上面に固定する（第一工程）。
【００４６】
次に、前記複数の型枠支持材１の夫々一端側の型枠支持部２に沿って型枠パネルＡの下端を固定する（第二工程）。この際、該型枠パネルＡを固定する前に、夫々一端側の型枠支持部２に沿ってランナー部材を取付け、該ランナー部材を介して型枠パネルＡの下端を取付ける。また、該型枠パネルＡの下端は、前記ランナー部材に嵌め込んだ後、外側型枠ユニット１００の内側から該ランナー部材及び型枠パネルＡを貫通してビスを打ち込むことにより固定する。このように、まず外側の型枠パネルＡを取付けることにより、前記ビス止めが内側から容易で、以降の外側型枠ユニット１００の内側の施工をスムーズに行うことができる。
【００４７】
次に、前記複数の型枠支持材１の夫々支柱固定部３に支柱４を前記長板状に対して略鉛直方向に取付ける（第三工程）。該支柱４は、一般的なセパレータと同径の直径８ｍｍのボルトで形成され、該セパレータと兼用できるため、型枠構築における部品点数を減らすことができ、製造、運搬又は保管等にかかるコストを削減できる。また、該支柱固定部３は、ネジ切りが形成されており、前記ボルトからなる支柱４を容易に取付けることができる。なお、型枠ユニットへの鉄筋組立施工は、作業効率の悪化を防止すべく、前記型枠支持材１の取付け後で支柱４の取付け前に行う。このように、該支柱４を後施工できることにより鉄筋組立施工が容易になり施工工程を簡略化及び合理化することができる。
【００４８】
次に、該支柱４の上端に断面視略コ字型の型枠支持部２を取付ける（第四工程）。前記図３に示すように、該型枠支持部２の支柱挿通孔２ｃには内周面にネジ切りが施されており、該型枠支持部２を容易に支柱４に取付け可能であり、また、該型枠支持部２の高さ調整も容易である。
【００４９】
最後に、前記各支柱４上端側の型枠支持部２に型枠パネルＡの下端を固定する（第五工程）。該各型枠支持部２には、ランナー部材を嵌め込んで固定し、該ランナー部材を介して型枠パネルＡと取付ける。この際、該型枠パネルＡの下端は、各型枠支持部２、ランナー部材及び型枠パネルＡを貫通させてビスを打ち込むことにより固定する。
【００５０】
このように、該外側型枠ユニット１００の構築方法によれば、型枠支持材１を外側型枠ユニット１００か内側型枠ユニット２００かいずれの構築に用いるかを意識することなく、設置することができる。また、該型枠支持材１を取付けた後、該型枠支持材１の他端側に支柱４と該支柱４の上端に型枠支持部２とを取付け、該一端側及び他端側の両型枠支持部２に型枠パネルＡを取付ければ、各部材を組み立てるのみで高齢者や女性等であっても容易に外側型枠ユニット１００を構築することができる。
【００５１】
また、前記外側型枠ユニット１００の構築方法において、前記第二工程と第三工程との間に、前記型枠支持部２に固定した型枠パネルＡの内側面に幅止め金具５の係止部材６を取付けるための複数の係止部材受け部７を水平方向に並列に取付け（工程イ）、前記第五工程の後に、前記複数の係止部材受け部７に係止部材６を水平方向に延設し（工程ロ）、前記支柱４上端側の型枠支持部２に固定した型枠パネルＡの下端側と該係止部材６間に、中央近傍にアンカーボルト挿通孔５ａが形成された幅止め金具５を橋架する（工程ハ）したのち、前記アンカーボルト挿通孔５ａにアンカーボルトを挿通して固定する（工程ニ）こともできる。
【００５２】
このように、該工程イ、ロ、ハ及びニにおいて、まず、型枠パネルＡの内側面に係止部材受け部７を取付けておくことにより、前記第三工程から第五工程後に係止部材６を取付け容易になる。また、該係止部材６を水平方向に延設することにより、該係止部材６に対してどの位置でも前記幅止め金具５を取付けることができる。さらに、前記幅止め金具５の中央近傍にアンカーボルト挿通孔５ａを開口させたことにより、該アンカーボルトの取付け位置が一定となり、該アンカーボルトを正確に取付けることができる。
【００５３】
図７は、内側型枠ユニット２００の構築方法を示すフローチャート図である。
【００５４】
まず、捨てコンＸ上に、長板状の一端側に型枠パネルＡの下端を支持する型枠支持部２及び支柱を該長板状に対して略鉛直方向に取付けるための支柱固定部３を形成し、前記長板状の他端側に支柱４を該長板状に対して略鉛直方向に取付けるための支柱固定部３を形成した複数の型枠支持材１を固定する（第一工程）。
【００５５】
次に、前記長板状の一端側及び他端側の夫々の支柱固定部３に該長板状に対して略鉛直方向に支柱４を取付ける（第二工程）。該支柱工程部３への支柱４の取付けは前記外側型枠ユニット１００における取付けと同様である。
【００５６】
次に、該各支柱４の上端に断面視略コ字状の型枠支持部２を取付ける（第三工程）。該型枠支持部２の取付けも前記外側型枠ユニット１００における取付けと同様である。
【００５７】
最後に、該各型枠支持部２に型枠パネルＡの下端を固定する（第四工程）。該各型枠支持部２には、ランナー部材を嵌め込んで固定し、該ランナー部材を介して型枠パネルＡと取付ける。この際、該型枠パネルＡの下端は、各型枠支持部２、ランナー部材及び型枠パネルＡを貫通させてビスを打ち込むことにより固定する。
【００５８】
このように、該内側型枠ユニット２００の構築方法によれば、型枠支持材１を外側型枠ユニット１００か内側型枠ユニット２００かいずれの構築に用いるかを意識することなく、設置することができる。また、該型枠支持材１を取付けた後、該型枠支持材１に支柱４と該各支柱４の上端に型枠支持部２を取付け、該両型枠支持部２に型枠パネルＡを取付ければ、各部材を組み立てるのみで高齢者や女性等であっても容易に内側型枠ユニット２００を構築することができる。  
【００５９】
また、該型枠ユニットの構築方法において、捨てコンＸの上面に外側型枠ユニット１００を構築した後に、内側型枠ユニット２００を構築する。このような型枠ユニットの構築方法により、前記外側型枠ユニット１００及び内側型枠ユニット２００の構築を軽作業化することができ、高齢者や女性であっても容易に構築することができる。そのため、昨今の型枠業者の高齢化等による人手不足の解消にも貢献することができる。
【００６０】
このように該型枠ユニットを構築した後、前記外側型枠ユニット１００の外側を土で埋め戻して整地する。これにより、作業スペースが広がり安全にコンクリートＹの打設作業を行うことができる。そして、該型枠ユニットの上方からコンクリートＹを打設することにより、一度のコンクリートＹの打設でベタ基礎を構築することができる。
【産業上の利用可能性】
【００６１】
本発明に係る型枠支持材、型枠保持具及び型枠ユニット及び該型枠ユニットの構築方法は、前記ベタ基礎の構築以外の型枠構築においても利用することができる。
【符号の説明】
【００６２】
１      型枠支持材
２      型枠支持部
２ａ    挟持片
２ｂ    支柱係留部
２ｃ    支柱挿通孔
３      支柱固定部
４      支柱
１０    外側型枠保持具
２０    内側型枠保持具
１００  外側型枠ユニット
２００  内側型枠ユニット
Ａ      型枠パネル
Ｘ      捨てコン
Ｙ      コンクリート
【図１】
2017066804.tif 000003
【図２】
2017066804.tif 000004
【図３】
2017066804.tif 000005
【図４】
2017066804.tif 000006
【図５】
2017066804.tif 000007
【図６】
2017066804.tif 000008
【図７】
2017066804.tif 000009